(57)【要約】【課題】ユーザに対して高画質で安定したコンテンツを配信できるよう、ＰＰＰｏＥ接続の切替を自動で行い、地域ＩＰ網にてコンテンツ提供を可能とするＰＰＰｏＥ接続切替プログラムを提供することを目的とする。【解決手段】ユーザの有するユーザ端末又はユーザ端末と接続するルータを機能させるＰＰＰｏＥ接続切替プログラムであって、ＰＰＰｏＥプロトコルのセッション監視を行い、ユーザ端末からコンテンツを有する特定又は任意のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、他のコンテンツサーバへのアクセスが発生するまでその接続を維持させるＰＰＰｏＥ接続切替プログラムである。【選択図】　図１
2004104573.tif 000002
【特許請求の範囲】
【請求項１】
ユーザの有するユーザ端末又は前記ユーザ端末と接続するルータを機能させるＰＰＰｏＥ接続切替プログラムであって、
ＰＰＰｏＥプロトコルのセッション監視を行い、
前記ユーザ端末からコンテンツを有する特定又は任意のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、
他のコンテンツサーバへのアクセスが発生するまでその接続を維持させる
ことを特徴とするＰＰＰｏＥ接続切替プログラム。
【請求項２】
前記ＰＰＰｏＥ接続切替プログラムは、
前記ユーザ端末又は前記ルータに常駐してセッション監視を行う
ことを特徴とする請求項１に記載のＰＰＰｏＥ接続切替プログラム。
【請求項３】
自らが格納しているコンテンツ又はコンテンツが格納されている他のコンテンツサーバの所在地を、ユーザの有するユーザ端末に送信するコンテンツサーバであって、
前記コンテンツサーバは、
ＰＰＰｏＥプロトコルのセッション監視を行い、前記ユーザ端末からコンテンツを有する特定のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、他のコンテンツサーバへのアクセスが発生するまでその接続を維持させるＰＰＰｏＥ接続切替プログラムの、送信可否を前記ユーザ端末からインターネットを経由して受信するプログラム送信可否受信手段と、
前記プログラム送信可否受信手段で前記ＰＰＰｏＥ接続切替プログラムの送信可能を受信した場合に、前記ＰＰＰｏＥ接続切替プログラムをインターネットを経由して前記ユーザ端末に送信するプログラム送信手段と
を有することを特徴とするコンテンツサーバ。
【請求項４】
前記コンテンツサーバは、
前記プログラム送信可否受信手段で前記ＰＰＰｏＥ接続切替プログラムの送信拒否を受信した場合、又は前記ユーザ端末の使用機器の問題により地域ＩＰ網での接続が行えない場合に、接続拒否を示すクッキーを前記ユーザ端末に対して発行するクッキー発行手段と
を有することを特徴とする請求項３に記載のコンテンツサーバ。
【請求項５】
前記コンテンツサーバは、
前記ユーザ端末に対して閲覧させるコンテンツ又はコンテンツが格納されている他のコンテンツサーバの所在地を格納しているコンテンツサーバと、
前記コンテンツ又は他のコンテンツサーバの所在地を地域ＩＰ網経由で前記ユーザ端末に送信するコンテンツ送信手段と
を有することを特徴とする請求項３又は請求項４に記載のコンテンツサーバ。
【請求項６】
前記プログラム送信手段は、
前記ユーザ端末から地域識別情報を受信することでユーザの最寄りのコンテンツサーバを特定し、前記特定したコンテンツサーバに対して、地域ＩＰ網接続を行うＰＰＰｏＥ接続切替プログラムを送信する
ことを特徴とする請求項３から請求項５に記載のコンテンツサーバ。
【請求項７】
ユーザ端末をコンピュータネットワークに接続させるルータであって、
ＰＰＰｏＥプロトコルのセッション監視を行い、前記ユーザ端末からコンテンツを有する特定のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、他のコンテンツサーバへのアクセスが発生するまでその接続を維持させるＰＰＰｏＥ接続切替プログラムを有することを特徴とするルータ。
【請求項８】
ＰＰＰｏＥプロトコルのセッション監視を行い、ユーザ端末からコンテンツを有する任意のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、他のコンテンツサーバへのアクセスが発生するまでその接続を維持させるＰＰＰｏＥ接続切替プログラムを有するルータから、ＩＰアドレスの照合要求を受信しその結果を返すＰＰＰｏＥ管理サーバであって、
コンテンツサーバのインターネットでの所在地を示すＩＰアドレスと前記コンテンツサーバの地域ＩＰ網での所在地を示すＰＰＰｏＥアドレスとを対応づけて格納しているＰＰＰｏＥ管理データベースと、
前記ルータから、前記ユーザ端末の接続先となるＩＰアドレスがＰＰＰｏＥアドレスと対応しているか否かの照合要求を受け付け、前記ＰＰＰｏＥ管理データベースから検索をする照合手段と、
前記照合手段での検索の結果、前記ＩＰアドレスと対応するＰＰＰｏＥアドレスが前記ＰＰＰｏＥ管理データベースに存在している場合には、ＰＰＰｏＥアドレスをインターネットを経由して前記ルータに送信するＰＰＰｏＥアドレス送信手段と
を有することを特徴とするＰＰＰｏＥ管理サーバ。
【請求項９】
ユーザ端末をコンピュータネットワークに接続させるルータであって、
ＰＰＰｏＥプロトコルのセッション監視を行い、前記ユーザ端末からコンテンツを有する任意のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、他のコンテンツサーバへのアクセスが発生するまでその接続を維持させるＰＰＰｏＥ接続切替プログラムを有することを特徴とするルータ。
【請求項１０】
前記ルータは、
前記ユーザ端末の接続先となるＩＰアドレスが、ＰＰＰｏＥアドレスと対応しているか否かの照合要求をインターネットを経由して、ＩＰアドレスとＰＰＰｏＥアドレスとを対応づけて格納しているＰＰＰｏＥ管理サーバに対して送信し、
前記ＰＰＰｏＥ管理サーバから、前記送信したＩＰアドレスに対応するＰＰＰｏＥアドレスを前記ＰＰＰｏＥ管理サーバから受信した場合には、前記受信したＰＰＰｏＥアドレスを前記ＰＰＰｏＥ接続切替プログラムに渡し、
前記加入者管理装置に対して地域ＩＰ網を経由する接続に切り替えさせる
ことを特徴とするルータ。
【請求項１１】
ユーザ端末をコンピュータネットワークに接続させるルータであって、
コンテンツサーバのインターネットでの所在地を示すＩＰアドレスと前記コンテンツサーバの地域ＩＰ網での所在地を示すＰＰＰｏＥアドレスとを対応づけて格納しているＰＰＰｏＥ管理データベースと、
ＰＰＰｏＥプロトコルのセッション監視を行い、前記ユーザ端末からコンテンツを有する任意のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、他のコンテンツサーバへのアクセスが発生するまでその接続を維持させるＰＰＰｏＥ接続切替プログラムと
を有することを特徴とするルータ。
【請求項１２】
前記ルータは、
前記ユーザ端末の接続先となるＩＰアドレスが、ＰＰＰｏＥアドレスと対応しているか否かの照合を前記ＰＰＰｏＥ管理データベースで行い、
前記ＰＰＰｏＥ管理データベースに於いて、前記照合したＩＰアドレスに対応するＰＰＰｏＥアドレスが存在する場合には、そのＰＰＰｏＥアドレスを前記ＰＰＰｏＥ接続切替プログラムに渡し、
前記加入者管理装置に対して地域ＩＰ網を経由する接続に切り替えさせる
ことを特徴とする請求項１１に記載のルータ。
【請求項１３】
前記ルータは、
コンテンツサーバのインターネットでの所在地を示すＩＰアドレスと前記コンテンツサーバの地域ＩＰ網での所在地を示すＰＰＰｏＥアドレスとを対応づけて格納しているＰＰＰｏＥ管理データベースを有しているＰＰＰｏＥ管理サーバに対して、定期的又は不定期にインターネットを経由してアクセスし、
前記ルータが有しているＰＰＰｏＥ管理データベースと前記ＰＰＰｏＥ管理サーバが有しているＰＰＰｏＥ管理データベースとの照合を行い、
前記ルータが有しているＰＰＰｏＥ管理データベースのＩＰアドレスとＰＰＰｏＥアドレスとの対応を更新する
ことを特徴とする請求項１１又は請求項１２に記載のルータ。
【発明の詳細な説明】
【０００１】
【発明の属する技術分野】
本発明は、ユーザに対して高画質で安定したコンテンツを配信できるよう、ＰＰＰｏＥ接続の切替を自動で行い、地域ＩＰ網にてコンテンツ提供を可能とするＰＰＰｏＥ接続切替プログラムに関する。又、ＰＰＰｏＥ接続切替プログラムをユーザの有するコンピュータにダウンロードさせ、自動的に実行させるコンテンツサーバと、ＰＰＰｏＥ接続切替プログラムを有するルータとに関する。
【０００２】
【従来の技術】
ユーザのコンピュータ（以下、ユーザ端末）からインターネット（上位網を指す。本明細書ではインターネットとする）に接続する方法として、ｘＤＳＬ（ｘ　Ｄｉｇｉｔａｌ　Ｓｕｂｓｃｒｉｂｅｒ　Ｌｉｎｅ。ＡＤＳＬ（Ａｓｙｍｍｅｔｒｉｃ　Ｄｉｇｉｔａｌ　Ｓｕｂｓｃｒｉｂｅｒ　Ｌｉｎｅ）やＨＤＳＬ（Ｈｉｇｈ　ｄａｔａ　ｒａｔｅ　Ｄｉｇｉｔａｌ　Ｓｕｂｓｃｒｉｂｅｒ　Ｌｉｎｅ）やＶＤＳＬ（Ｖｅｒｙ　Ｈｉｇｈ　ｓｐｅｅｄ　Ｄｉｇｉｔａｌ　Ｓｕｂｓｃｒｉｂｅｒ　Ｌｉｎｅ）がその一例としてある。本明細書ではＤＳＬとする）による接続方法が普及しつつある。ＤＳＬを用いて、インターネット上に存在しているコンテンツにアクセスする場合には、通常、自らのコンピュータからＤＳＬモデムを介して電話会社の地域ＩＰ網（電話局同士を接続したネットワークを言う。現在は法律により各県毎に設けられているが、本明細書に於いては、各県毎の電話局同士が接続されたものに限らず、複数の県や地域にまたがって接続される場合も含むものとする）の加入者管理装置に対してアクセスをする。このアクセスを受けた加入者管理装置は、ＰＰＰｏＥ（ＰＰＰｏＥについては、ｈｔｔｐ：／／ｙｏｕｇｏ．ａｓｃｉｉ２４．ｃｏｍ／ｇｈ／７８／００７８６５．ｈｔｍｌに詳しい）と呼ばれるプロトコルに従って、当該ユーザがどのインターネットサービスプロバイダ（以下、ＩＳＰ）を利用しているかを判別し、そのＩＳＰとユーザのコンピュータとの接続を行う。ＩＳＰとユーザのコンピュータとの間で接続が確立後、ＩＳＰのネットワーク網（ＩＳＰ網）を介してインターネット上のユーザが閲覧を希望するコンテンツを有するサーバ（以下、コンテンツサーバ）にアクセスし、コンテンツを自らのコンピュータで閲覧することが可能となる。図１にこの場合の概念図を示す。
【０００３】
又下記記載の特許公開公報（特開２００２−２５２６５５号）には、電話網からＩＰ網（当該公報に於けるＩＰ網とは、インターネットに代表されるインターネットプロトコルを用いた網を言う）への接続システムにかかる発明が開示されている。即ち電話網の電話機の電話番号とＩＰ網のＩＰ電話機のＩＰアドレスとは相違するので、これらの間で通信を行う際には電話機の電話番号、ＩＰ電話機のＩＰアドレスをそのまま用いることが出来ない問題点を解決し、相互に通信することを可能とするシステムである。
【０００４】
【特許文献１】
特開２００２−２５２６５５号公報
【０００５】
【発明が解決しようとする課題】
上記のようなＤＳＬによるアクセスの場合、トラフィックが非常に多いインターネットとＩＳＰ網とを介する必要がある為、データ量の多いコンテンツ、例えばストリーミングデータや音声データ等は、データ落ちが発生する可能性が非常に高い。又テキストデータ等の比較的データ量の多くないコンテンツであったとしても、インターネットやＩＳＰ網を経由している為、その通信速度が非常に遅くなる。
【０００６】
一般的に地域ＩＰ網は、ＩＳＰ網やインターネットと比較して、その通信速度が非常に高速であることが認識されており、従ってＩＳＰ網やインターネットを介さずに地域ＩＰ網からコンテンツサーバに直接アクセスすることが出来れば非常に高速にアクセスできることとなる。従って前述の問題点を回避する為に、電話会社は自らがＩＳＰとなり、ＩＳＰ網やインターネットを介さずに地域ＩＰ網に自らのコンテンツサーバを設けてユーザからのアクセスを行わせる、図２に示すアクセス方法が考案された。しかしこのような方法の場合、ユーザは電話会社のＩＳＰの会員となる必要があり、更に地域ＩＰ網を介したアクセスは、電話会社のＩＳＰが自ら設けたデータサーバのみであって、その他のインターネット上に存在するデータには地域ＩＰ網を介してアクセスすることが出来ない。従って汎用性のあるシステムではない。
【０００７】
又上記公開公報に開示されている発明では、電話番号とＩＰアドレスとの変換を行っているに過ぎず、通信ルートの切替を自動的に行うシステムではない。
【０００８】
【課題を解決するための手段】
そこで本発明者は上記問題点に鑑み、地域ＩＰ網に接続したコンテンツサーバのコンテンツにアクセスする場合とインターネット上のコンテンツサーバにアクセスする場合とを自動的に切り替えるＰＰＰｏＥ接続切替プログラムと、それを具備したルータとを発明した。
【０００９】
請求項１の発明は、
ユーザの有するユーザ端末又は前記ユーザ端末と接続するルータを機能させるＰＰＰｏＥ接続切替プログラムであって、ＰＰＰｏＥプロトコルのセッション監視を行い、前記ユーザ端末からコンテンツを有する特定又は任意のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、他のコンテンツサーバへのアクセスが発生するまでその接続を維持させるＰＰＰｏＥ接続切替プログラムである。
【００１０】
請求項２の発明は、
前記ＰＰＰｏＥ接続切替プログラムは、前記ユーザ端末又は前記ルータに常駐してセッション監視を行うＰＰＰｏＥ接続切替プログラムである。
【００１１】
請求項１及び請求項２の発明によって、従来はインターネット経由のみであったユーザ端末とコンテンツサーバとの間の接続を、より高速で通信が可能な地域ＩＰ網経由での接続に切り替えることが可能となる。尚、本明細書に於いてルータとは、異なるネットワーク同士を相互接続するネットワーク機器を指し、コンピュータでその機能を行うものをも含むとする。
【００１２】
請求項３の発明は、
自らが格納しているコンテンツ又はコンテンツが格納されている他のコンテンツサーバの所在地を、ユーザの有するユーザ端末に送信するコンテンツサーバであって、前記コンテンツサーバは、ＰＰＰｏＥプロトコルのセッション監視を行い、前記ユーザ端末からコンテンツを有する特定のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、他のコンテンツサーバへのアクセスが発生するまでその接続を維持させるＰＰＰｏＥ接続切替プログラムの、送信可否を前記ユーザ端末からインターネットを経由して受信するプログラム送信可否受信手段と、前記プログラム送信可否受信手段で前記ＰＰＰｏＥ接続切替プログラムの送信可能を受信した場合に、前記ＰＰＰｏＥ接続切替プログラムをインターネットを経由して前記ユーザ端末に送信するプログラム送信手段とを有するコンテンツサーバである。
【００１３】
請求項４の発明は、
前記コンテンツサーバは、前記プログラム送信可否受信手段で前記ＰＰＰｏＥ接続切替プログラムの送信拒否を受信した場合、又は前記ユーザ端末の使用機器の問題により地域ＩＰ網での接続が行えない場合に、接続拒否を示すクッキーを前記ユーザ端末に対して発行するクッキー発行手段とを有するコンテンツサーバである。
【００１４】
請求項５の発明は、
前記コンテンツサーバは、前記ユーザ端末に対して閲覧させるコンテンツ又はコンテンツが格納されている他のコンテンツサーバの所在地を格納しているコンテンツサーバと、前記コンテンツ又は他のコンテンツサーバの所在地を地域ＩＰ網経由で前記ユーザ端末に送信するコンテンツ送信手段とを有するコンテンツサーバである。
【００１５】
請求項６の発明は、
前記プログラム送信手段は、前記ユーザ端末から地域識別情報を受信することでユーザの最寄りのコンテンツサーバを特定し、前記特定したコンテンツサーバに対して、地域ＩＰ網接続を行うＰＰＰｏＥ接続切替プログラムを送信するコンテンツサーバである。
【００１６】
請求項３から請求項６の発明によって、地域ＩＰ網を介したコンテンツへのアクセスが可能となり、従来のようにトラフィックが非常に多いインターネットとＩＳＰ網とを介する必要がなくなる。これによって、データ量の多いコンテンツ、例えばストリーミングデータや音声データ等は、データ落ちが発生する可能性が殆ど無くなり、又その通信速度も高速化することが可能となる。
【００１７】
請求項７の発明は、
ユーザ端末をコンピュータネットワークに接続させるルータであって、ＰＰＰｏＥプロトコルのセッション監視を行い、前記ユーザ端末からコンテンツを有する特定のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、他のコンテンツサーバへのアクセスが発生するまでその接続を維持させるＰＰＰｏＥ接続切替プログラムを有するルータである。
【００１８】
請求項７の発明によって、請求項３から請求項６に記載の発明のようにＰＰＰｏＥ接続切替プログラムを、コンテンツサーバからアクセス毎にダウンロードさせるのではなく、予めルータに具備しておいても良い。これによってルータが自動的にネットワークルーティングをすることが出来、ユーザに一切の負担が生じない。
【００１９】
請求項８の発明は、
ＰＰＰｏＥプロトコルのセッション監視を行い、ユーザ端末からコンテンツを有する任意のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、他のコンテンツサーバへのアクセスが発生するまでその接続を維持させるＰＰＰｏＥ接続切替プログラムを有するルータから、ＩＰアドレスの照合要求を受信しその結果を返すＰＰＰｏＥ管理サーバであって、コンテンツサーバのインターネットでの所在地を示すＩＰアドレスと前記コンテンツサーバの地域ＩＰ網での所在地を示すＰＰＰｏＥアドレスとを対応づけて格納しているＰＰＰｏＥ管理データベースと、前記ルータから、前記ユーザ端末の接続先となるＩＰアドレスがＰＰＰｏＥアドレスと対応しているか否かの照合要求を受け付け、前記ＰＰＰｏＥ管理データベースから検索をする照合手段と、前記照合手段での検索の結果、前記ＩＰアドレスと対応するＰＰＰｏＥアドレスが前記ＰＰＰｏＥ管理データベースに存在している場合には、ＰＰＰｏＥアドレスをインターネットを経由して前記ルータに送信するＰＰＰｏＥアドレス送信手段とを有するＰＰＰｏＥ管理サーバである。
【００２０】
請求項９の発明は、
ユーザ端末をコンピュータネットワークに接続させるルータであって、ＰＰＰｏＥプロトコルのセッション監視を行い、前記ユーザ端末からコンテンツを有する任意のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、他のコンテンツサーバへのアクセスが発生するまでその接続を維持させるＰＰＰｏＥ接続切替プログラムを有するルータである。
【００２１】
請求項１０の発明は、
前記ルータは、前記ユーザ端末の接続先となるＩＰアドレスが、ＰＰＰｏＥアドレスと対応しているか否かの照合要求をインターネットを経由して、ＩＰアドレスとＰＰＰｏＥアドレスとを対応づけて格納しているＰＰＰｏＥ管理サーバに対して送信し、前記ＰＰＰｏＥ管理サーバから、前記送信したＩＰアドレスに対応するＰＰＰｏＥアドレスを前記ＰＰＰｏＥ管理サーバから受信した場合には、前記受信したＰＰＰｏＥアドレスを前記ＰＰＰｏＥ接続切替プログラムに渡し、前記加入者管理装置に対して地域ＩＰ網を経由する接続に切り替えさせるルータである。
【００２２】
請求項３から請求項７に記載の発明では、予め定められた接続先であるコンテンツサーバ（予め定められたＰＰＰｏＥアドレスを有するコンテンツサーバ）に対する地域ＩＰ網を経由したアクセスであったが、請求項８から請求項１０に記載の発明によって、ルータにＰＰＰｏＥ接続切替プログラムを具備しておき、接続先となるＩＰアドレスがＰＰＰｏＥアドレスを有するか否かを問い合わせる（即ち、接続先となるコンテンツサーバが地域ＩＰ網と接続しているか否かを問い合わせる）ことによって、仮に当該コンテンツサーバがＰＰＰｏＥアドレスを有していれば、地域ＩＰ網を経由したアクセスが可能となる。
【００２３】
つまり個々のコンテンツサーバ毎にＰＰＰｏＥ接続切替プログラムをユーザ端末にダウンロードさせなくても、ＰＰＰｏＥ接続切替プログラムをルータに具備しておけば接続毎にインターネットを介して、そのＩＰアドレスに対応するＰＰＰｏＥアドレスが存在しているか否かを問い合わせ、存在している場合にはルータが地域ＩＰ網経由での接続する。これによって、ユーザには通常通りネットワークを介したアクセスを行うだけで、高速且つデータ落ちがなくコンテンツを閲覧することが出来る。
【００２４】
請求項１１の発明は、
ユーザ端末をコンピュータネットワークに接続させるルータであって、コンテンツサーバのインターネットでの所在地を示すＩＰアドレスと前記コンテンツサーバの地域ＩＰ網での所在地を示すＰＰＰｏＥアドレスとを対応づけて格納しているＰＰＰｏＥ管理データベースと、ＰＰＰｏＥプロトコルのセッション監視を行い、前記ユーザ端末からコンテンツを有する任意のコンテンツサーバへのアクセスが発生する場合に、電話局が有する加入者管理装置に対して、ＰＰＰｏＥプロトコルに従ってその接続先をインターネット経由から地域ＩＰ網経由に切り替えさせ、他のコンテンツサーバへのアクセスが発生するまでその接続を維持させるＰＰＰｏＥ接続切替プログラムとを有するルータである。
【００２５】
請求項１２の発明は、
前記ルータは、前記ユーザ端末の接続先となるＩＰアドレスが、ＰＰＰｏＥアドレスと対応しているか否かの照合を前記ＰＰＰｏＥ管理データベースで行い、前記ＰＰＰｏＥ管理データベースに於いて、前記照合したＩＰアドレスに対応するＰＰＰｏＥアドレスが存在する場合には、そのＰＰＰｏＥアドレスを前記ＰＰＰｏＥ接続切替プログラムに渡し、前記加入者管理装置に対して地域ＩＰ網を経由する接続に切り替えさせるルータである。
【００２６】
請求項１３の発明は、
前記ルータは、コンテンツサーバのインターネットでの所在地を示すＩＰアドレスと前記コンテンツサーバの地域ＩＰ網での所在地を示すＰＰＰｏＥアドレスとを対応づけて格納しているＰＰＰｏＥ管理データベースを有しているＰＰＰｏＥ管理サーバに対して、定期的又は不定期にインターネットを経由してアクセスし、前記ルータが有しているＰＰＰｏＥ管理データベースと前記ＰＰＰｏＥ管理サーバが有しているＰＰＰｏＥ管理データベースとの照合を行い、前記ルータが有しているＰＰＰｏＥ管理データベースのＩＰアドレスとＰＰＰｏＥアドレスとの対応を更新するルータである。
【００２７】
請求項８から請求項１０に記載の発明のように、ユーザ端末からＩＰアドレスに接続要求を送信する度にルータがＰＰＰｏＥ管理サーバにＰＰＰｏＥアドレスが存在するか否かを問い合わせるのは、ＰＰＰｏＥ管理サーバに負荷がかかることとなる。従って、ＰＰＰｏＥ管理データベースを予めルータに具備しておき、定期的に当該ルータからＰＰＰｏＥ管理サーバにアクセスし、ルータのＰＰＰｏＥ管理データベースとＰＰＰｏＥ管理サーバのＰＰＰｏＥ管理データベースとの照合を取ることによって、ルータのＰＰＰｏＥ管理データベースのＩＰアドレスとＰＰＰｏＥアドレスとの対応を更新することによっても良い。これによって、接続の度にＰＰＰｏＥ管理サーバに問い合わせなくても、ルータの中で照合を取り、地域ＩＰ網への接続切替の可否を判断することが出来、時間の節約となる。又ＰＰＰｏＥ管理サーバの負荷も軽減できる。
【００２８】
【発明の実施の形態】
本発明の概念図を図３、システム構成の一例を示したシステム構成図を図７に示し、図５にそのプロセスの流れの一例を示す。コンテンツサーバ１は、ユーザが閲覧を希望するコンテンツを有するサーバであって、インターネットと地域ＩＰ網とに接続している。コンテンツには、ストリーミングデータ、音声データ、テキストデータ等の何であっても良い。又コンテンツサーバ１は、各ユーザ端末に対してインターネット接続ではなく、地域ＩＰ網を介してコンテンツサーバ１への接続を行わせるＰＰＰｏＥ接続切替プログラムを有している。
【００２９】
コンテンツサーバ１は、プログラム送信可否受信手段２とプログラム送信手段３とクッキー発行手段４とコンテンツ送信手段５と電話番号データベース６とコンテンツデータベース７とを有している。又コンテンツサーバ１は、ユーザ端末に送信する為のＰＰＰｏＥ接続切替プログラムを有している。
【００３０】
ＰＰＰｏＥ接続切替プログラムは、常駐プログラムとしてＰＰＰｏＥプロトコルのセッション監視を行い、コンテンツサーバ１へのアクセスが発生する場合には、電話局の加入者管理装置にＰＰＰｏＥプロトコルに従ってその接続先を地域ＩＰ網経由に切り替えさせ、他のコンテンツサーバ１へのアクセスが発生するまでその接続を維持するプログラムである。又他のコンテンツへのアクセスが発生した場合にはその接続先を地域ＩＰ網経由からＩＳＰ経由に切り替えさせる。
【００３１】
プログラム送信可否受信手段２は、ユーザ端末にコンテンツを送信する際に、従来のようにインターネット経由から地域ＩＰ網経由にその接続を切り替える、ＰＰＰｏＥ接続切替プログラムの送信可否をユーザ端末から受信する手段である。又、ユーザ端末に、クッキー発行手段４（後述）が発行した接続拒否を示すクッキー（ｃｏｏｋｉｅ）があるか否かを参照し、それがある場合には、自動的にプログラム送信を拒否であると見なし、送信を行わない手段でもある。
【００３２】
プログラム送信手段３は、プログラム送信可否受信手段２でＰＰＰｏＥ接続切替プログラムの送信可能を受信した場合に、ユーザ端末から電話番号（プライバシーの観点から市外局番と市内局番のみであることが好適であるが、下４桁を受け付けても良い）の入力を受信し、電話番号データベース６を参照することによって、ユーザの最寄りのコンテンツサーバ１を特定し、特定したコンテンツサーバ１に対して、地域ＩＰ網を介した接続を行う為のＰＰＰｏＥ接続切替プログラムをインターネットを介して送信する手段である。又本明細書に於いては、ユーザ端末の最寄りのコンテンツサーバ１を特定する為の方法として、電話番号の入力を受け付けたが、地域を識別できる情報（地域識別情報）であれば何であっても良い。
【００３３】
クッキー発行手段４は、プログラム送信可否受信手段２でＰＰＰｏＥ接続切替プログラムの送信拒否を受信した場合、使用機器の問題により地域ＩＰ網での接続が行えない場合に、接続拒否を示すクッキーをユーザ端末に対して発行する手段である。
【００３４】
コンテンツ送信手段５は、インターネット経由又は地域ＩＰ網経由でコンテンツデータベース７に格納しているコンテンツ又はコンテンツが格納されている他のコンテンツサーバ１の所在地（ＩＰアドレスや地域ＩＰ網に於いてそのコンテンツサーバ１の所在地を特定するアドレス等）を送信する手段である。尚、本明細書に於いては説明の簡便化の為、コンテンツサーバ１内に存在するコンテンツをユーザ端末に送信する場合を説明するが、コンテンツデータベース７にはコンテンツそのものではなく、コンテンツが格納されている他のコンテンツサーバ１の所在地（ＩＰアドレスや地域ＩＰ網に於いてそのコンテンツサーバ１の所在地を特定するアドレス等）が格納されており、ユーザ端末にそのコンテンツが格納されている他のコンテンツサーバ１の所在地（ＩＰアドレスや地域ＩＰ網に於いてそのコンテンツサーバ１の所在地を特定するアドレス等）を送信してもよい。
【００３５】
電話番号データベース６は、電話番号とその電話番号の所在地域の最寄りのコンテンツサーバ１との対応を格納しているデータベースである。
【００３６】
コンテンツデータベース７は、ユーザ端末に対して閲覧させるコンテンツ又はコンテンツの所在地（ＩＰアドレスや地域ＩＰ網に於いてそのコンテンツサーバ１の所在地を特定するアドレス等）を格納しているデータベースである。
【００３７】
【実施例】
コンテンツの閲覧を希望するユーザは、ユーザ端末からインターネットへの通常の接続方法でコンテンツサーバ１にアクセスする（Ｓ１００）。まず、ユーザ端末に接続したＤＳＬモデムを介して電話局の加入者管理装置に接続される。ユーザ端末からアクセスを受けた加入者管理装置は、ＰＰＰｏＥプロトコルに基づいて、当該ユーザの接続先となるＩＳＰを割り出し、そのＩＳＰとユーザ端末との間の接続を行う。その後、ユーザはユーザ端末からＩＳＰを介してインターネット上に存在するコンテンツサーバ１（コンテンツサーバ１のＩＰアドレス）を指定することによって、コンテンツサーバ１との間で接続が確立する。
【００３８】
当該接続確立後、コンテンツサーバ１のプログラム送信可否受信手段２がユーザ端末に対してＰＰＰｏＥ接続切替プログラムを送信して良いか否かの可否を求める。ユーザ端末からプログラム送信可否受信手段２でＰＰＰｏＥ接続切替プログラムの送信可能を受信した場合、プログラム送信手段３は、ユーザ端末から電話番号（プライバシーの観点から市外局番と市内局番のみであることが好適であるが、下４桁を受け付けても良い）の入力を受信し、電話番号データベース６を参照することによって、ユーザの最寄りのコンテンツサーバ１を特定し、特定したコンテンツサーバ１に対して、地域ＩＰ網を介した接続を行う為のＰＰＰｏＥ接続切替プログラムをインターネットを介して送信する（Ｓ１１０）。
【００３９】
Ｓ１１０でコンテンツサーバ１がＰＰＰｏＥ接続切替プログラムを送信後、それを受信したユーザ端末は、そのプログラムを実行可能状態にする。実行可能状態となった後に、ＰＰＰｏＥ接続切替プログラムは、電話局の加入者管理装置がＰＰＰｏＥプロトコルに従ってその接続先を地域ＩＰ網経由に切り替えることを許可するか否かの確認をユーザに求め（Ｓ１２０）、その承諾が得られた場合には（Ｓ１３０）、ＰＰＰｏＥ接続切替プログラムは、電話局の加入者管理装置にＰＰＰｏＥプロトコルに従ってその接続先を地域ＩＰ網経由に切り替えさせる（Ｓ１４０）。切り替えた後、他のコンテンツへのアクセスが発生するまでその接続を維持する。
【００４０】
この切替によって、ユーザ端末とコンテンツサーバ１とは従来のように、インターネットを介した接続ではなく、電話会社の地域ＩＰ網を介した接続となる。コンテンツサーバ１は、地域ＩＰ網経由でコンテンツデータベース７に格納しているコンテンツ又はコンテンツが格納されている他のコンテンツサーバ１の所在地（ＩＰアドレスや地域ＩＰ網に於いてそのコンテンツサーバ１の所在地を特定するアドレス等）をユーザ端末に送信する（Ｓ１５０）。コンテンツ送信後又は他のコンテンツへのアクセスが発生した場合には、ＰＰＰｏＥ接続切替プログラムは、その接続先を地域ＩＰ網経由からＩＳＰ経由に切り替えさせる。
【００４１】
次回以降のアクセスの際には、ユーザ端末にＰＰＰｏＥ接続切替プログラムが存在しているので、ＰＰＰｏＥ接続切替プログラムが常駐プログラムとしてＰＰＰｏＥプロトコルのセッション監視を行い、予め定められたコンテンツへのアクセスが発生する場合には、電話局の加入者管理装置にＰＰＰｏＥプロトコルに従ってその接続先を地域ＩＰ網経由に切り替えさせ、他のコンテンツへのアクセスが発生するまでその接続を維持することによって行える。
【００４２】
Ｓ１２０の接続切替の確認の際に、ユーザが接続切替を承諾しなかった場合、又は使用機器の問題により地域ＩＰ網での接続が行えない場合には、接続拒否を示すクッキーをクッキー発行手段４がユーザ端末に対して発行し、Ｓ１１０で送信したＰＰＰｏＥ接続切替プログラムをユーザ端末から自動的に削除する（Ｓ１６０）。このクッキーによって、コンテンツサーバ１がユーザ端末からアクセスを受けた際に、プログラム送信可否受信手段２が接続拒否を示すクッキーを参照することによって、コンテンツサーバ１は、ＰＰＰｏＥ接続切替プログラムをユーザ端末に送信することはなくなる。
【００４３】
このようなプロセスを経ることによって、地域ＩＰ網を介したコンテンツへのアクセスが可能となり、従来のようにトラフィックが非常に多いインターネットとＩＳＰ網とを介する必要がなくなる。これによって、データ量の多いコンテンツ、例えばストリーミングデータや音声データ等は、データ落ちが発生する可能性が殆ど無くなり、又その通信速度も高速化することが可能となる。
【００４４】
又、本実施例のように、ＤＳＬモデムではなくルータを使用している場合には、ＰＰＰｏＥ接続切替プログラムをユーザ端末ではなく、ルータに具備しても良い。これによってルータが自動的にネットワークルーティングをすることが出来、ユーザに一切の負担が生じない。
【００４５】
更に、他の実施例として上記のように単にルータにＰＰＰｏＥ接続切替プログラムを有するのではなく、インターネット上に地域ＩＰ網に於ける所在地を示すアドレス（ＰＰＰｏＥアドレス）とインターネット上に於ける所在地を示すＩＰアドレスとを対応づけるＰＰＰｏＥ管理データベース１１を設けた場合を説明する。この場合の概念図を図４、システム構成の一例を示したシステム構成図を図８、プロセスの流れの一例を示したフローチャート図を図５に示す。この場合、ユーザ端末が使用するルータには、任意のＰＰＰｏＥアドレスに対して地域ＩＰ網を介して経由して接続を行うＰＰＰｏＥ接続切替プログラムが既に具備されており、ルータの販売時に既に具備されていても良いし、図４に示すコンテンツサーバ１’からダウンロードされていても良い。コンテンツサーバ１’は、ユーザに対して閲覧させるコンテンツを有しており、更には図７に示すようなシステム構成を有していても良い。従って、地域ＩＰ網のみならずインターネットにも接続している。
【００４６】
ＰＰＰｏＥ管理サーバ８は、インターネットと接続しており、ルータからＩＰアドレスがＰＰＰｏＥアドレスと対応しているか否かの照合要求を受け付け、存在している場合にはそのＰＰＰｏＥアドレスを送信するサーバである。ＰＰＰｏＥ管理サーバ８は、照合手段９とＰＰＰｏＥアドレス送信手段１０とＰＰＰｏＥ管理データベース１１とを有している。
【００４７】
照合手段９は、ルータから、接続先となるＩＰアドレスがＰＰＰｏＥアドレスと対応しているか否かの照合要求を受け付け、ＰＰＰｏＥ管理データベース１１から検索する手段である。
【００４８】
ＰＰＰｏＥアドレス送信手段１０は、照合手段９での検索の結果、接続先となるＩＰアドレスがＰＰＰｏＥ管理データベース１１に存在している場合には、その対応するＰＰＰｏＥアドレスをルータに送信し、存在していない場合には存在していない旨を送信する手段である。
【００４９】
ＰＰＰｏＥ管理データベース１１は、ＩＰアドレスとＰＰＰｏＥアドレスとの対応を格納しているデータベースである。ＩＰアドレスとＰＰＰｏＥアドレスが対応しているということは、当該ＩＰアドレスを有するコンテンツサーバ１’は、地域ＩＰ網にＰＰＰｏＥアドレスをその所在地として存在していることを示している。
【００５０】
次にこの場合のプロセスの流れの一例を詳細に説明する。又既にユーザ端末とＩＳＰとの間は、電話局の加入者管理装置を介して接続しているものとする。コンテンツの閲覧を希望するユーザは、ユーザ端末から当該コンテンツを有するコンテンツサーバ１’へのアクセス要求、即ち、当該コンテンツサーバ１’のＩＰアドレスへのアクセス要求を送信する。この際に、ルータは、当該ＩＰアドレスと対応するＰＰＰｏＥアドレスが存在するか否かを照合する為に、インターネット上に存在するＰＰＰｏＥ管理サーバ８に対して、当該ＩＰアドレスの照合要求を送信する。
【００５１】
ルータからの照合要求を受信したＰＰＰｏＥ管理サーバ８の照合手段９は、ルータからの照合要求に基づいて、当該ＩＰアドレスと対応するＰＰＰｏＥアドレスが存在しているか否かを、ＰＰＰｏＥ管理データベース１１から検索する（Ｓ２００）。
【００５２】
この検索の結果、ＰＰＰｏＥ管理データベース１１に当該ＩＰアドレスと対応するＰＰＰｏＥアドレスが存在している場合には（即ち、当該ＩＰアドレスを有するコンテンツサーバ１’が、ＰＰＰｏＥアドレスをその所在地として地域ＩＰ網に存在している）、ＰＰＰｏＥアドレス送信手段１０が、検索したＰＰＰｏＥアドレスをインターネットを介してルータに送信する（Ｓ２１０）。
【００５３】
ＰＰＰｏＥ管理サーバ８のＰＰＰｏＥアドレス送信手段１０から、ＰＰＰｏＥアドレスを受信したルータは、予め具備しているＰＰＰｏＥ接続切替プログラムにそのＰＰＰｏＥアドレスを渡して、現在ルータとインターネットとの間で確立している接続を、電話局の加入者管理装置に対して、地域ＩＰ網を経由する接続に切り替させる（Ｓ２３０）。この際に、ルータのセッションが１しか割り当てることが出来ない場合には完全に接続を切り替えることとなるが、複数のセッションを割り当てることが出来る場合には、インターネット経由のセッションと地域ＩＰ網経由のセッションとを並立することが可能となる。
【００５４】
Ｓ２３０に於いて切り替えられた接続は、ＰＰＰｏＥ管理サーバ８から受信したＰＰＰｏＥアドレスに対して接続される（Ｓ２４０）。これによって、ルータと地域ＩＰ網に存在するコンテンツサーバ１’との間で地域ＩＰ網を経由するアクセスが可能となり、ユーザ端末はコンテンツサーバ１’から希望するコンテンツをダウンロードすることとなる（Ｓ２５０）。
【００５５】
又Ｓ２１０で照合の結果、ＰＰＰｏＥ管理データベース１１にＩＰアドレスが登録されていなかった場合には、そのコンテンツサーバ１’は地域ＩＰ網とは接続していないので、その旨をルータに対して送信し、ルータは通常通りインターネットを経由してユーザ端末と接続すれば良い。
【００５６】
以上のようなプロセスを経ることによって、図３に示した場合（実施例１）では、予め定められた接続先であるコンテンツサーバ１’（予め定められたＰＰＰｏＥアドレスを有するコンテンツサーバ１’）に対する地域ＩＰ網を経由したアクセスであったが、図４に示した場合（実施例２）では、ルータにＰＰＰｏＥ接続切替プログラムを具備しておき、接続先となるＩＰアドレスがＰＰＰｏＥアドレスを有するか否かを問い合わせる（即ち、接続先となるコンテンツサーバ１’が地域ＩＰ網と接続しているか否かを問い合わせる）ことによって、仮に当該コンテンツサーバ１’がＰＰＰｏＥアドレスを有していれば、地域ＩＰ網を経由したアクセスが可能となる。
【００５７】
つまり個々のコンテンツサーバ１’毎にＰＰＰｏＥ接続切替プログラムをユーザ端末にダウンロードさせなくても、ＰＰＰｏＥ接続切替プログラムをルータに具備しておけば接続毎にインターネットを介して、そのＩＰアドレスに対応するＰＰＰｏＥアドレスが存在しているか否かを問い合わせ、存在している場合にはルータが地域ＩＰ網経由での接続する。これによって、ユーザには通常通りネットワークを介したアクセスを行うだけで、高速且つデータ落ちがなくコンテンツを閲覧することが出来る。
【００５８】
又、ユーザ端末からＩＰアドレスに接続要求を送信する度にルータがＰＰＰｏＥ管理サーバ８に問い合わせるのは、ＰＰＰｏＥ管理サーバ８に負荷がかかることとなる。従って、ＰＰＰｏＥ管理データベース１１を予めルータに具備しておき、定期的に当該ルータからＰＰＰｏＥ管理サーバ８にアクセスし、ルータのＰＰＰｏＥ管理データベース１１とＰＰＰｏＥ管理サーバ８のＰＰＰｏＥ管理データベース１１との照合を取ることによって、ルータのＰＰＰｏＥ管理データベース１１のＩＰアドレスとＰＰＰｏＥアドレスとの対応を更新することによっても良い。これによって、接続の度にＰＰＰｏＥ管理サーバ８に問い合わせなくても、ルータの中で照合を取り、地域ＩＰ網への接続切替の可否を判断することが出来、時間の節約となる。又ＰＰＰｏＥ管理サーバ８の負荷も軽減できる。
【００５９】
本発明に於ける各手段、データベースは、その機能が論理的に区別されているのみであって、物理上あるいは事実上は同一の領域を為していても良い。又データベースの代わりにデータファイルであっても良いことは言うまでもなく、データベースとの記載にはデータファイルをも含んでいる。
【００６０】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【００６１】
この場合、記憶媒体から読み出されたプログラム自体が前記した実施態様の機能を実現することとなり、そのプログラムを記憶した記憶媒体は本発明を当然のことながら構成することになる。
【００６２】
プログラムを供給する為の記憶媒体としては、例えば磁気ディスク、ハードディスク、光ディスク、光磁気ディスク、磁気テープ、不揮発性のメモリカード等を使用することができる。
【００６３】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【００６４】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【００６５】
【発明の効果】
以上のような本発明によって、地域ＩＰ網を介したコンテンツへのアクセスが可能となり、従来のようにトラフィックが非常に多いインターネットとＩＳＰ網とを介する必要がなくなる。これによって、データ量の多いコンテンツ、例えばストリーミングデータや音声データ等は、データ落ちが発生する可能性が殆ど無くなり、又その通信速度も高速化することが可能となる。
【００６６】
又、ＤＳＬモデムではなくルータを使用している場合には、ＰＰＰｏＥ接続切替プログラムをユーザ端末ではなく、ルータに具備しても良い。これによってルータが自動的にネットワークルーティングをすることが出来、ユーザに一切の負担が生じない。
【００６７】
更にルータにＰＰＰｏＥ接続切替プログラムを具備しておき、接続先となるＩＰアドレスがＰＰＰｏＥアドレスを有するか否かを問い合わせることによって、個々のコンテンツサーバ毎にＰＰＰｏＥ接続切替プログラムをユーザ端末にダウンロードさせなくても、ＰＰＰｏＥ接続切替プログラムをルータに具備しておけば接続毎にインターネットを介して、そのＩＰアドレスに対応するＰＰＰｏＥアドレスが存在しているか否かを問い合わせ、存在している場合にはルータが地域ＩＰ網経由での接続する。これによって、ユーザには通常通りネットワークを介したアクセスを行うだけで、高速且つデータ落ちがなくコンテンツを閲覧することが出来る。
【００６８】
又、ユーザ端末からＩＰアドレスに接続要求を送信する度に、ルータがＰＰＰｏＥ管理サーバに問い合わせるのはＰＰＰｏＥ管理サーバに負荷がかかることとなることから、ＰＰＰｏＥ管理データベースを予めルータに具備しておき、定期的に当該ルータからＰＰＰｏＥ管理サーバにアクセスし、ルータのＰＰＰｏＥ管理データベースとＰＰＰｏＥ管理サーバのＰＰＰｏＥ管理データベースとの照合を取り、ルータのＰＰＰｏＥ管理データベースのＩＰアドレスとＰＰＰｏＥアドレスとの対応を更新することによっても良い。これによって、接続の度にＰＰＰｏＥ管理サーバに問い合わせなくても、ルータの中で照合を取り、地域ＩＰ網への接続切替の可否を判断することが出来、時間の節約となる。
【図面の簡単な説明】
【図１】従来のＤＳＬによるアクセスの場合の概念図である。
【図２】従来の地域ＩＰ網を介した電話会社のＩＳＰによるアクセスの場合の概念図である。
【図３】本発明のアクセスの場合の概念図である。
【図４】本発明のルータを用いた場合の概念図である。
【図５】本発明のプロセスの流れの一例を示したフローチャート図である。
【図６】本発明の他のプロセスの流れの一例を示したフローチャート図である。
【図７】本発明のシステム構成の一例を示したシステム構成図である。
【図８】本発明のルータを用いた場合のシステム構成の一例を示したシステム構成図である。
【符号の説明】
１：コンテンツサーバ
２：プログラム送信可否受信手段
３：プログラム送信手段
４：クッキー発行手段
５：コンテンツ送信手段
６：電話番号データベース
７：コンテンツデータベース
８：ＰＰＰｏＥ管理サーバ
９：照合手段
１０：ＰＰＰｏＥアドレス送信手段
１１：ＰＰＰｏＥ管理データベース
【図１】
2004104573.tif 000003
【図２】
2004104573.tif 000004
【図３】
2004104573.tif 000005
【図４】
2004104573.tif 000006
【図５】
2004104573.tif 000007
【図６】
2004104573.tif 000008
【図７】
2004104573.tif 000009
【図８】
2004104573.tif 000010